(57)【特許請求の範囲】
【請求項１】
内視対象の管腔内に挿入される挿入部の先端部に脱着可能に設けられ、前記内視対象を観察若しくは撮影するための光学アダプタであって、
前記先端部に挿入可能なアダプタ本体の基端側の外面に、前記先端部と共に挟み込むＯリングを装着する環状の溝部が形成され、
前記環状の溝部を構成する一対の側壁部のうち、前記アダプタ本体の基端側に位置する基端側側壁部に、その周方向の一部を切り欠いた切欠部が形成され、
前記環状の溝部が、前記アダプタ本体に取り付けられた環状の被覆部材により覆われていることを特徴とする光学アダプタ。
【請求項２】
前記切欠部に、前記アダプタ本体の基端側から先端側に向けて、前記環状の溝部の内方側から前記環状の溝部の底面に近づくように傾斜する導入面が形成されていることを特徴とする請求項１に記載の光学アダプタ。
【請求項３】
前記環状の溝部を構成する一対の側壁部のうち、前記アダプタ本体の基端側に位置する基端側側壁部が、その周方向の少なくとも一部を弾性部材から構成してなることを特徴とする請求項１または２に記載の光学アダプタ。
【請求項４】
前記弾性部材からなる前記基端側側壁部が環状に形成されていることを特徴とする請求項３に記載の光学アダプタ。
【請求項５】
前記環状の溝部を構成する一対の側壁部のうち、前記アダプタ本体の基端側に位置する基端側側壁部が、その周方向の少なくとも一部に、前記アダプタ本体の基端側から先端側に向けて、径方向外方側に傾斜する案内面を形成してなることを特徴とする請求項１から請求項３のいずれか１項に記載の光学アダプタ。
【請求項６】
前記環状の溝部を構成する一対の側壁部のうち、前記アダプタ本体の先端側に位置する先端側側壁部が、前記被覆部材の内面に略到達する位置まで延出していることを特徴とする請求項１から５のいずれか１項に記載の光学アダプタ。
【請求項７】
内視対象の管腔内に挿入される挿入部の先端部に、請求項１から請求項６のいずれか１項に記載の光学アダプタを着脱可能に備えてなることを特徴とする内視鏡装置。
【発明の詳細な説明】
【技術分野】
【０００１】
この発明は、工業用や医療用として使用される内視鏡装置、及びこれに用いられる光学アダプタに関する。
【背景技術】
【０００２】
従来の内視鏡装置としては、管腔内に挿入される挿入部の先端に、レンズや照明手段、ミラー等の光学系ユニットを備えた光学アダプタを脱着自在に取り付けて構成されたものがある（例えば、特許文献１参照。）。この種の内視鏡装置では、挿入部の先端にも光学系ユニットが設けられており、光学アダプタを挿入部の先端に取り付けた状態においては、前述の２つの光学系ユニットが相互に接続されることになる。
また、この内視鏡装置では、環状に形成された光学アダプタの基端側に挿入部の先端を挿入するように構成されており、この挿入状態において光学アダプタと挿入部の先端とを相互に固定するようになっている。そして、挿入部の先端の外面にはＯリングを装着する環状のＯリング溝が形成されており、光学アダプタの基端側の内面と挿入部の外面とでＯリングを潰すように挟み込むようになっている。これにより、光学アダプタと挿入部の先端との接続部分から、挿入部の先端及び光学アダプタに設けられた２つの光学系ユニットの間に、水分が入り込むことを防止している。
【特許文献１】特開２００３−１６４４１８号公報
【発明の開示】
【発明が解決しようとする課題】
【０００３】
しかしながら、上記従来の内視鏡装置において、光学アダプタを挿入部の先端から取り外した状態では挿入部の先端に装着されたＯリングが外方に露出することになる。すなわち、この状態においては、内視鏡装置の使用者がＯリングに容易に触れることができるため、Ｏリングが不意に外れてしまうという問題がある。
【０００４】
この発明は上述した事情に鑑みてなされたものであって、光学アダプタと挿入部の先端部との接続部分に配されるＯリングが不意に外れることを防止できる内視鏡装置及びこれに用いる光学アダプタを提供することを目的としている。
【課題を解決するための手段】
【０００５】
上記目的を達成するために、この発明は、以下の手段を提供する。
本発明に係る光学アダプタは、内視対象の管腔内に挿入される挿入部の先端部に脱着可能に設けられ、内視対象を観察若しくは撮影するための光学アダプタであって、前記先端部に挿入可能なアダプタ本体の基端側の外面に、前記先端部と共に挟み込むＯリングを装着する環状の溝部が形成され、前記環状の溝部を構成する一対の側壁部のうち、前記アダプタ本体の基端側に位置する基端側側壁部に、その周方向の一部を切り欠いた切欠部が形成され、前記環状の溝部が、前記アダプタ本体に取り付けられた環状の被覆部材により覆われていることを特徴とする。
【０００６】
この光学アダプタを挿入部の先端部に装着する際には、アダプタ本体の基端側から被覆部材の内面とアダプタ本体の外面との隙間に環状の先端部を挿入する。この装着状態においては、先端部及びアダプタ本体の溝部が、溝部に配されたＯリングを潰すように挟み込むため、アダプタ本体と先端部との接続部分からアダプタ本体や先端部の内部側に水分が侵入することを防止できる。
ここで、被覆部材は環状の溝部に取り付けられたＯリングをアダプタ本体の外面側から覆っているため、光学アダプタを挿入部の先端部から取り外した状態において、Ｏリングは外方に露出しない。したがって、Ｏリングが光学アダプタの使用者の手指等に直接触れる等して、溝部から脱落することを防止できると共に、Ｏリングに傷が付くことも容易に抑えることができる。
また、切欠部を介して溝部に配されたＯリングをアダプタ本体の基端側から外方に露出させることができる。そして、溝部に装着されたＯリングを取り外す際には、アダプタ本体の基端側から切欠部を介して溝部の底面とＯリングとの間にピンセット等のジグを挿入するだけで、Ｏリングを溝部の底面から離間させることができるため、Ｏリングを溝部から容易に取り外すことができる。
【０００７】
また、前記環状の溝部を構成する一対の側壁部のうち、前記アダプタ本体の先端側に位置する先端側側壁部が、前記被覆部材の内面に略到達する位置まで延出するとしてもよい。
この構成の場合には、光学アダプタを挿入部に装着する際に、環状の先端部がＯリングを介して先端側側壁部に当接するため、先端部が環状の溝部を越えてアダプタ本体の先端側まで挿入されることがない、すなわち、上記装着の際に、Ｏリングが挿入部の先端部の内面に対して擦れて摩耗すること抑制して、Ｏリングの耐久性向上を図ることができる。また、Ｏリングが挿入部の先端部に対して擦れることがないため、Ｏリングを溝部に対して移動させようとする力がＯリングに作用することを抑えて、Ｏリングが溝部から外れることを確実に防止できる。
【０００９】
また、前記切欠部に、前記アダプタ本体の基端側から先端側に向けて、前記環状の溝部の内方側から前記環状の溝部の底面に近づくように傾斜する導入面を形成してもよい。
この構成の場合には、溝部に装着されたＯリングを取り外す際に、アダプタ本体の基端側から先端側に向けてジグの先端を挿入して導入面に当接させることで、ジグの先端が導入面に沿って溝部底面まで導かれるため、Ｏリングと溝部の底面との間にジグを容易に挿入することができる。すなわち、Ｏリングの取り外しをさらに容易に行うことができる。
【００１０】
さらに、前記環状の溝部を構成する一対の側壁部のうち、前記アダプタ本体の基端側に位置する基端側側壁部の周方向の少なくとも一部を弾性部材により構成してもよい。
この構成の場合には、弾性部材をアダプタ本体の基端側から外方に露出させることができる。そして、溝部に装着されたＯリングを取り外す際には、ジグの先端により弾性部材を弾性変形させて、Ｏリングと溝部の底面との間にジグの先端を挿入すればよいため、容易にＯリングを取り外すことができる。また、弾性部材が弾性変形しない状態においては、溝部の基端側側壁部として立設するため、Ｏリングが溝部から外れないように保持することもできる。
【００１１】
また、前記弾性部材からなる前記基端側側壁部を環状に形成してもよい。
この構成の場合には、溝部に装着されたＯリングを取り外す際に、弾性部材からなる基端側側壁部のうち、周方向のいずれの位置からでもジグをＯリングと溝部の底面との間に挿入することができるため、Ｏリングの取り外しをさらに容易に行うことができる。
【００１２】
さらに、前記環状の溝部を構成する一対の側壁部のうち、前記アダプタ本体の基端側に位置する基端側側壁部が、その周方向の少なくとも一部に、前記アダプタ本体の基端側から先端側に向けて、径方向外方側に傾斜する案内面を形成して構成されるとしてもよい。
この構成の場合には、Ｏリングを溝部に装着する際に、Ｏリングの内面をジグの先端で支持した状態で、アダプタ本体の基端側から先端側に向けてジグの先端を挿入して案内面に当接させるだけで、ジグの先端が案内面に沿って基端側側壁部の径方向外方側まで導かれるため、Ｏリングを容易に溝部に装着することができる。
【発明の効果】
【００１３】
この発明は、アダプタ本体の外面に取り付けられたＯリングを被覆部材により覆う構成としているため、Ｏリングが不意にアダプタ本体から脱落することを防止できる。また、Ｏリングに傷が付くことも防止できるため、Ｏリングの耐久性向上を図ることもできる。
【発明を実施するための最良の形態】
【００１４】
次に、この発明の各実施形態を図面に基づいて説明する。尚、以下の各実施形態の説明において、同一部分には同一符号を付し、重複する説明を省略するものとする。
【００１５】
最初に、図１〜図４に示す第１の実施形態について説明する。
図１は、この発明にかかる内視鏡装置１の全体の概略構成を示すものである。同図に示すように、この内視鏡装置１は、被検体の検査を行うための挿入部３と、この挿入部３を収納する本体収納ボックス５とを備えている。
本体収納ボックス５は、蓋部７と本体部９とを備えており、これら蓋部７と本体部９とが相互に開閉可能に取り付けられている。本体部９の内部には、本体部９に対して回転可能な円柱状の巻き取りドラム１３が設けられている。巻き取りドラム１３の一端面は、本体部９の側面から外部に露出しており、その一端面にはハンドル１５が設けられている。
【００１６】
巻き取りドラム１３の空間内部には、照明光を供給する光源部（図示せず）、挿入部３の先端部２７に設けた撮像素子に対する信号処理を行うＣＣＵ（カメラコントロールユニット）（図示せず）、挿入部３の湾曲部２９を電動で湾曲駆動させる駆動機構を備えた電動湾曲装置（図示せず）、湾曲部２９の湾曲状態を制御する電動湾曲回路部（図示せず）等が収納されている。
また、本体部９の天面９ａには、画像を表示するためのモニタ１７と、挿入部３の湾曲部２９の操作を行うためのリモコン１９とが設けられている。なお、図中の符号２１は運搬用のキャスターを示している。
【００１７】
挿入部３は、長尺状に延びて形成されると共に可撓性を有しており、内視対象である被検体の管腔内に挿入できるようになっている。
挿入部３の基端側は、本体部９の天面９ａに形成された開口部２５を介して巻き取りドラム１３に取り付けられている。このため、挿入部３は、開口部２５を介して引っ張り出すことにより、本体収納ボックス５から外方に延びるようになっている。また、この挿入部３は、ハンドル１５に手をあてがい、巻き取りドラム１３を回転させることにより、巻き取りドラム１３に巻き取られて本体収納ボックス５に収納されるようになっている。
【００１８】
挿入部３の先端部２７は、図２，３に示すように、全体がほぼ厚肉の略円筒状に形成され、また、その先端面２７ａの周縁から軸方向に突出する略環状の環状突出部２７ｂを形成して構成されている。さらに、挿入部３の先端部２７は、その先端面２７ａの中央部から突出する小径筒状部２７ｃを形成して構成されている。
なお、環状突出部２７ｂの外周面には、第１の雄ねじ３０が形成されている。また、先端部２７の外周面には、第１の雄ねじ３０よりも先端部２７の基端側に位置する第２の雄ねじ３１が形成されている。これら第１の雄ねじ３０と第２の雄ねじ３１とは相互に所定距離離間して形成されている。
【００１９】
この挿入部３の先端部２７の内部には、固体撮像素子３３、光学フィルタ３５及び第１の対物レンズ群３７が、先端部２７の基端側から先端側に向けて順次並べて配されている。ここで、固体撮像素子３３は、例えばＣＣＤ（charge coupled device）のように被検体の観察画像を得るためのものであり、光学フィルタ３５は、先端部２７内に取り込まれた被検体からの反射光のうち赤外線をカットするものである。また、第１の対物レンズ群３７は、先端部２７内に取り込まれた被検体からの反射光を固体撮像素子３３において結像させるためのものである。
また、先端部２７の内部には、光源部から発せられた光を、先端部２７の先端面２７ａまで案内するライトガイド３９が設けられている。
【００２０】
以上のように構成された挿入部３の先端部２７には、直視用の光学アダプタ４１が脱着可能に設けられている。この光学アダプタ４１は、図２〜４に示すように、アダプタ本体４３、アダプタハウジング４５及び接続リング（被覆部材）４７を備えている。
アダプタ本体４３は、全体がほぼ厚肉の円筒状に形成され、その内部にはレンズやカバーガラス等から構成される第２の対物レンズ群４９が収容されている。この第２の対物レンズ群４９は、第１の対物レンズ群３７の先端側に配されるようになっており、固体撮像素子３３に結像させる観察画像の画角や明るさ、ピントを調整する役割を果たすものである。すなわち、挿入部３に装着する光学アダプタ４１の種類を適宜変更することにより、様々な画角、明るさ、ピントを有する観察画像を取得することができる。これら固体撮像素子３３、光学フィルタ３５、第１の対物レンズ群３７及び第２の対物レンズ群４９により、被検体の観察画像を取得するための観察光学系５１が構成されている。
【００２１】
また、アダプタ本体４３の内部には、第２の対物レンズ群４９に隣接してカバーガラス５３が設けられている。このカバーガラス５３は、光学アダプタ４１を挿入部３の先端部２７に装着した状態において、挿入部３のライトガイド３９の先端側に配されるようになっており、ライトガイド３９から発する光をアダプタ本体４３の先端側まで案内する役割を果たしている。すなわち、これらライトガイド３９、カバーガラス５３及び図示しない光源部により被検体に光を照射するための照明光学系５５が構成されている。
【００２２】
アダプタ本体４３の基端４３ａには、軸方向に窪む位置決め凹部５７が形成されている。この位置決め凹部５７は、挿入部３の小径筒状部２７ｃを挿入可能な形状に形成されており、位置決め凹部５７に小径筒状部２７ｃを挿入した状態においては、アダプタ本体４３が挿入部３の先端部２７に対して回転不能となる。
また、アダプタ本体４３の基端４３ａ側は、その外径寸法が挿入部３の環状突出部２７ｂの内径寸法よりも小さく形成されているため、環状突出部２７ｂに挿入可能となっている。そして、アダプタ本体４３の基端４３ａ側の外周面には、Ｏリング５９を装着するための環状のＯリング溝（溝部）６１が形成されている。このＯリング溝６１は断面視で略矩形状に形成されている。
【００２３】
すなわち、図２に示すように、アダプタ本体４３の基端４３ａを挿入部３の環状突出部２７ｂに完全に挿入した状態においては、Ｏリング溝６１に装着されたＯリング５９が、環状突出部２７ｂの内面とＯリング溝６１の底面との間に挟み込まれて潰されることになる。なお、この状態においては、環状突出部２７ｂの先端がＯリング溝６１よりもアダプタ本体４３の先端側に位置することになる。
この状態においては、挿入部３の先端部２７とアダプタ本体４３との接続部分からアダプタ本体４３や挿入部３の先端部２７の内部側に水分が侵入することを防止できる。具体的には、先端部２７の第１の対物レンズ群３７やライトガイド３９と、アダプタ本体４３の第２の対物レンズ群４９やカバーガラス５３との間に水分が介在することを防止できるため、この水分の介在に基づいて、被検体に照射する光や被検体の観察画像が乱れることを防ぐことができる。
また、アダプタ本体４３の外周面には、段差状に拡径した大径フランジ部６３が一体的に形成されている。この大径フランジ部６３は、Ｏリング溝６１からアダプタ本体４３の先端側に所定距離離間した位置に形成されている。
【００２４】
接続リング４７は、略円環状に形成されており、アダプタ本体４３の先端側から挿入することにより、アダプタ本体４３に取り付けられるように構成されている。接続リング４７の先端側には、アダプタ本体４３の大径フランジ部６３に軸方向から当接可能な内向きのストッパフランジ６５が一体的に形成されている。すなわち、この接続リング４７は、アダプタ本体４３に取り付られた状態において、アダプタ本体４３の基端４３ａ側から抜け落ちないようになっている。
【００２５】
アダプタハウジング４５は、アダプタ本体４３の先端側を収容する略円筒状に形成されており、ビス６９によってアダプタ本体４３に固定される。
そして、アダプタハウジング４５の外径は、接続リング４７のストッパフランジ６５の内径寸法よりも大きく形成されている。このため、アダプタ本体４３に接続リング４７及びアダプタハウジング４５を組付けた状態においては、接続リング４７をアダプタ本体４３の先端側に移動させても、接続リング４７のストッパフランジ６５がアダプタハウジング４５に当接する。したがって、アダプタハウジング４５は、接続リング４７がアダプタ本体４３の先端側から脱落することを防止する抜け止めとして機能することになる。
【００２６】
また、前述した接続リング４７は、アダプタ本体４３に取り付けられた状態において、アダプタ本体４３に対して回動方向に変位可能となっている。
さらに、この円環状の接続リング４７は、アダプタ本体４３の基端４３ａよりもさらに軸方向後方側に延びるように配されており、環状の隙間Ｓ１を介してＯリング溝６１を含むアダプタ本体４３の外周面を覆っている。ここで、環状の隙間Ｓ１は、アダプタ本体４３の基端４３ａ側の外周面と接続リング４７の内周面との間の空間を示しており、挿入部３の環状突出部２７ｂを挿入できる程度の大きさを有している。
【００２７】
また、接続リング４７の内周面には、挿入部３の第１の雄ねじ３０や第２の雄ねじ３１に螺合可能な雌ねじ６７が形成されている。
すなわち、光学アダプタ４１を挿入部３の先端部２７に装着する際には、はじめに、挿入部３の先端部２７を光学アダプタ４１の基端側から挿入すると共に接続リング４７を回転させると、接続リング４７の雌ねじ６７が、挿入部３の第１の雄ねじ３０に螺合する。そして、この状態からさらに接続リング４７を回転させると、雌ねじ６７は、第１の雄ねじ３０を乗り越えて第２の雄ねじ３１に螺合し、光学アダプタ４１が挿入部３の先端部２７に固定されることになる。したがって、挿入部３の第１の雄ねじ３０は、光学アダプタ４１が挿入部３から脱落するのを防止するための抜け止めとして機能することになる。
なお、雌ねじ６７が第２の雄ねじ３１に螺合した状態においては、環状突出部２７ｂが環状の隙間Ｓ１に挿入されると共に、小径筒状部２７ｃが位置決め凹部５７に挿入されることになる。
【００２８】
この実施形態の内視鏡装置１及び光学アダプタ４１によれば、アダプタ本体４３の外周面にＯリング溝６１を形成し、接続リング４７によりＯリング溝６１に取り付けられたＯリング５９をアダプタ本体４３の外周面側から覆っているため、光学アダプタ４１を挿入部３の先端部２７から取り外した状態においても、Ｏリング５９が外方に露出することはない。したがって、Ｏリング５９が、光学アダプタ４１や内視鏡装置１の使用者の手指等に直接触れる等して、Ｏリング溝６１から脱落することを防止できる。また、Ｏリング５９に傷が付くことも防止できるため、Ｏリング５９の耐久性向上を図ることもできる。
【００２９】
この第１の実施形態の光学アダプタ４１は、挿入部３の環状突出部２７ｂが、環状の隙間Ｓ１のうち、Ｏリング溝６１を越える位置まで挿入できるように、Ｏリング溝６１及び大径フランジ部６３を互いに所定距離離間させた位置に形成していたが、図５に示す第２の実施形態の光学アダプタ１０１のように、環状のＯリング溝（溝部）１０３及び大径フランジ部１０５が互いに隣接する位置に形成されたアダプタ本体１０７を備えるとしてもよい。すなわち、Ｏリング溝１０３を構成する一対の側壁部のうち、アダプタ本体１０７の先端側に位置する先端側側壁部１０９として大径フランジ部１０５を形成することにより、この先端側側壁部１０９が接続リング４７の内面に略到達するまで延出するように形成されることになる。
【００３０】
この構成の場合には、図６に示すように、光学アダプタ１０１を挿入部３の先端部２７に装着する際に、環状突出部２７ｂの先端がＯリング５９を介して先端側側壁部１０９に当接するため、環状突出部２７ｂがＯリング溝１０３を越えてアダプタ本体１０７の先端側に挿入されることがない。すなわち、上記装着の際には、Ｏリング５９が環状突出部２７ｂの内面に対して擦れて摩耗することを抑制して、Ｏリング５９の耐久性向上をさらに図ることができる。また、Ｏリング５９が環状突出部２７ｂに対して擦れることがないため、Ｏリング５９をＯリング溝１０３に対して移動させようとする力がＯリング５９に作用することを抑えて、Ｏリング５９がＯリング溝１０３から外れることを確実に防止できる。
【００３１】
図７，８は、この発明の第３の実施形態を示すものである。この実施形態の光学アダプタ１５１においては、Ｏリング溝（溝部）１５３を構成する一対の側壁部のうち、アダプタ本体１５５の基端１５５ａ側に位置する基端側側壁部１５７に、その周方向の一部を切り欠いた切欠部１５９が一対形成されている。
この構成の場合には、切欠部１５９を介してＯリング溝１５３の底面１５３ａとＯリング５９との接触部分をアダプタ本体１５５の基端１５５ａ側から外方に露出させることができる。そして、Ｏリング溝１５３に装着されたＯリング５９を取り外す際には、アダプタ本体１５５の基端１５５ａ側から切欠部１５９を介してＯリング溝１５３の底面１５３ａとＯリング５９との間にピンセット等のジグＰ１の先端を挿入するだけで、Ｏリング５９をＯリング溝１５３の底面１５３ａから離間させることができるため、Ｏリング５９をＯリング溝１５３から容易に取り外すことができる。
【００３２】
特に、図７（ｂ）に示すように、一対の切欠部１５９が、相互に環状の基端側側壁部１５７の対称な位置に形成されている場合には、例えば、ピンセットのように先端が二股に分かれたジグを使用してＯリング５９を取り出す際に、２つの切欠部１５９を介してジグの各先端を同時に、Ｏリング５９とＯリング溝１５３の底面１５３ａとの間に挿入することができる。このため、Ｏリング５９をさらに容易に取り外すことが可能となる。
なお、この第３の実施形態の光学アダプタ１５１では、基端側側壁部１５７に切欠部１５９を一対形成したが、これに限ることはなく、基端側側壁部１５７には少なくとも１つの切欠部が形成されていればよい。
【００３３】
また、上述した第３の実施形態の光学アダプタ１５１のように切欠部１５９を形成することに加えて、図９に示す第４の実施形態のように、Ｏリング溝（溝部）１６１の基端側側壁部１６３に形成された切欠部１６５の底面を、アダプタ本体１６７の基端１６７ａ側から先端側に向かうにしたがって、Ｏリング溝１６１の内方側からＯリング溝１６１の底面１６１ａに近づくように傾斜する傾斜導入面（導入面）１６５ａに形成するとしてもよい。
この構成の場合には、Ｏリング溝１６１に装着されたＯリング５９を取り外す際に、アダプタ本体１６７の基端１６７ａ側から先端側に向けてジグＰ１の先端を挿入して傾斜導入面１６５ａに当接させることで、ジグＰ１の先端が傾斜導入面１６５ａに沿ってＯリング溝１６１の底面１６１ａまで導かれる。したがって、Ｏリング５９とＯリング溝１６１の底面１６１ａとの間にジグＰ１を容易に挿入することができる、すなわち、Ｏリング５９の取り外しをさらに容易に行うことができる。
【００３４】
さらに、上述した全ての実施形態においては、Ｏリング溝を構成する基端側側壁部が、アダプタ本体と一体に形成されるとしたが、図１０に示す第５の実施形態のように、アダプタ本体２０１のＯリング溝（溝部）２０３を構成する環状の基端側側壁部２０５のうち、その周方向の一部が弾性変形可能な弾性部材２０７から構成されるとしてもよい。この構成においては、弾性部材２０７の基端部を接着等によりアダプタ本体２０１に一体的に固定すればよい。
この構成の場合には、弾性部材２０７がアダプタ本体２０１の基端２０１ａ側から外方に露出することになる。そして、Ｏリング溝２０３に装着されたＯリング５９を取り外す際には、ジグＰ１の先端により弾性部材２０７を弾性変形させて、Ｏリング５９とＯリング溝２０３の底面２０３ａとの間にジグＰ１の先端を挿入すればよいため、容易にＯリング５９を取り外すことができる。また、弾性部材２０７が弾性変形していない状態においては、Ｏリング溝２０３の基端側側壁部２０５として立設するため、Ｏリング５９がＯリング溝２０３から外れないように保持することもできる。
【００３５】
また、上述した第５の実施形態の構成に加えて、図１１に示す第６の実施形態のように、Ｏリング溝（溝部）２０３の底面２０３ａの一部に、弾性部材２０７により構成される基端側側壁部２０５に向けて、Ｏリング溝２０３の底面２０３ａよりも内方側に傾斜する傾斜面２０３ｂを形成してもよい。
この構成の場合には、Ｏリング溝２０３に装着されたＯリング５９を取り外す際に、ジグＰ１を光学アダプタの基端側から先端側に向けて挿入するだけでジグＰ１により弾性部材２０７を弾性変形させることができる。すなわち、ジグＰ１の挿入方向に弾性部材２０７の先端を弾性変形させてＯリング溝２０３の傾斜面２０３ｂに当接させることができるため、Ｏリング５９とＯリング溝２０３の底面２０３ａとの間にジグＰ１の先端を容易に挿入することができる。
【００３６】
なお、上述した第５の実施形態及び第６の実施形態においては、基端側側壁部２０５の一部を弾性部材２０７から構成するとしたが、これに限ることはなく、環状の基端側側壁部２０５全体が弾性部材２０７から構成されるとしても構わない。すなわち、この構成においては、弾性部材２０７は環状に形成されることになる。
この構成の場合には、Ｏリング溝２０３に装着されたＯリング５９を取り外す際に、弾性部材２０７からなる基端側側壁部２０５のうち、周方向のいずれの位置からでもジグＰ１の先端をＯリング５９とＯリング溝２０３の底面２０３ａとの間に挿入することができるため、Ｏリング５９の取り外しをさらに容易に行うことができる。
【００３７】
図１２は、この発明の第７の実施形態を示すものである。この実施形態の光学アダプタにおいては、Ｏリング溝（溝部）２５１を構成する基端側側壁部２５３の周方向の一部に、アダプタ本体２５５の基端２５５ａ側から先端側に向けて、アダプタ本体２５５の径方向外方側に傾斜する傾斜案内面（案内面）２５７が形成されている。
この構成の場合には、Ｏリング５９をＯリング溝２５１に装着する際に、Ｏリング５９の内面をジグＰ１の先端で支持した状態で、アダプタ本体２５５の基端２５５ａ側から先端側に向けてジグＰ１の先端を挿入して傾斜案内面２５７に当接させるだけで、ジグＰ１の先端が傾斜案内面２５７に沿って基端側側壁部２５３の先端まで導かれるため、Ｏリング５９を容易にＯリング溝２５１に装着することができる。
なお、この基端側側壁部２５３に形成される傾斜案内面２５７は、基端側側壁部２５３の周方向の一部に限らず、基端側側壁部２５３の全体に環状に形成されるとしてもよい。
【００３８】
また、この第７の実施形態の構成は、上述した第３の実施形態〜第６の実施形態の構成に適用する事もできる。すなわち、例えば、第３の実施形態及び第４の実施形態の切欠部１５９，１６５（図８，９参照）を、傾斜案内面２５７の形成位置に対して基端側側壁部２５３の周方向にずらした位置にそれぞれ形成してもよい。また、例えば、第５の実施形態及び第６の実施形態の弾性部材２０７により構成された基端側側壁部２０５（図１０，１１参照）の先端に、同様の傾斜案内面２５７を形成するとしても構わない。
【００３９】
なお、上述した全ての実施形態においては、挿入部の環状突出部やアダプタ本体の基端側が円筒状に形成されるとしたが、これに限ることはなく、少なくとも環状に形成されていればよい。すなわち、挿入部の環状突出部やアダプタ本体の基端側は断面視で略矩形の環状に形成されるとしても構わない。なお、この構成の場合には、Ｏリング溝も略矩形の環状に形成されることになる。
【００４０】
さらに、Ｏリング溝に装着されるＯリングは、接続リングにより覆われるとしたが、これに限ることはなく、少なくとも外周面側に露出しない環状の被覆部材により覆われていればよい。この構成の場合には、この被覆部材をアダプタ本体と一体的に形成するとしても構わない。
また、上述した全ての実施形態においては、直視用の光学アダプタについて述べたが、これに限ることはなく、全ての実施形態の構成を側視用の光学アダプタに適用してもよい。
【００４１】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００４２】
【図１】この発明の第１の実施形態に係る内視鏡装置の概略構成を示す斜視図である。
【図２】図１の内視鏡装置において、光学アダプタを挿入部の先端部に装着した状態を示す拡大断面図である。
【図３】図１の内視鏡装置において、光学アダプタを挿入部の先端部に装着する方法を示す拡大断面図である。
【図４】図１の内視鏡装置に備える光学アダプタを示しており、（ａ）は、拡大断面図、（ｂ）は、（ａ）のＡ−Ａ矢視断面図である。
【図５】この発明の第２の実施形態に係る光学アダプタを示す拡大断面図である。
【図６】図５の光学アダプタを挿入部の先端部に装着した状態を示す拡大断面図である。
【図７】この発明の第３の実施形態に係る光学アダプタを示しており、（ａ）は、拡大断面図、（ｂ）は、（ａ）のＢ−Ｂ矢視断面図である。
【図８】図７の光学アダプタの要部を示す拡大断面図である。
【図９】この発明の第４の実施形態に係る光学アダプタの要部を示す拡大断面図である。
【図１０】この発明の第５の実施形態に係る光学アダプタの要部を示す拡大断面図である。
【図１１】この発明の第６の実施形態に係る光学アダプタの要部を示す拡大断面図である。
【図１２】この発明の第７の実施形態に係る光学アダプタの要部を示す拡大断面図である。
【符号の説明】
【００４３】
１  内視鏡装置
３  挿入部
２７  先端部
４１，１０１，１５１  光学アダプタ
４３，１０７，１５５，１６７，２０１，２５５  アダプタ本体
４３ａ，１５５ａ，１６７ａ，２０１ａ，２５５ａ  基端
４７  接続リング（被覆部材）
５９  Ｏリング
６１，１０３，１５３，１６１，２０３，２５１  Ｏリング溝（溝部）
１０９  先端側側壁部
１５７，１６３，２０５，２５３  基端側側壁部
１５９，１６５  切欠部
１６１ａ，２０３ａ  底面
１６５ａ  傾斜導入面（導入面）
２０７  弾性部材
２５７  傾斜案内面（案内面）
Ｓ１  隙間
【図１】
0004772410.tif 000002
【図２】
0004772410.tif 000003
【図３】
0004772410.tif 000004
【図４】
0004772410.tif 000005
【図５】
0004772410.tif 000006
【図６】
0004772410.tif 000007
【図７】
0004772410.tif 000008
【図８】
0004772410.tif 000009
【図９】
0004772410.tif 000010
【図１０】
0004772410.tif 000011
【図１１】
0004772410.tif 000012
【図１２】
0004772410.tif 000013